(57)【要約】【課題】ウエブ方式の鋼板コンクリート壁において、ウエブ鋼板とコンクリートとの間のずれを防止すること。【解決手段】２枚の平行な表面鋼板１１ａ，１１ｂを複数のウエブ鋼板１２により間隔を置いて連結して複数の空間１３を画成し、これらの各空間にコンクリート１４を打設してなる鋼板コンクリート壁１０において、ウエブ鋼板にコンクリートとのずれを防止する手段、例えば穴１５を穿設して、ウエブ鋼板１２の両側のコンクリート１４同志を結合するようにした。ずれ防止手段の他の例として、ウエブ鋼板に設けた複数のスタッド、ウエブ鋼板を貫通して延びる複数の鉄筋、ウエブ鋼板に設けた複数のアングル材、ウエブ鋼板に成形した複数の凹凸部、ウエブ鋼板を縞鋼板により形成してその複数の縞部、又はウエブ鋼板に塗布してコンクリートの打設後に硬化する接着剤がある。【選択図】　図１
2004108090.tif 000002
【特許請求の範囲】
【請求項１】
２枚の平行な表面鋼板を複数のウエブ鋼板により間隔を置いて連結して複数の空間を画成し、これらの各空間にコンクリートを打設してなる鋼板コンクリート壁において、前記ウエブ鋼板にコンクリートとのずれを防止するずれ防止手段を設けたことを特徴とする鋼板コンクリート壁。
【請求項２】
請求項１に記載の鋼板コンクリート壁において、前記ずれ防止手段が、前記ウエブ鋼板に穿設した少なくともひとつの穴からなることを特徴とする鋼板コンクリート壁。
【請求項３】
請求項１に記載の鋼板コンクリート壁において、前記ずれ防止手段が、前記ウエブ鋼板の少なくとも片面に設けた複数のスタッドからなることを特徴とする鋼板コンクリート壁。
【請求項４】
請求項１に記載の鋼板コンクリート壁において、前記ずれ防止手段が、前記ウエブ鋼板を貫通して延びる複数の鉄筋からなることを特徴とする鋼板コンクリート壁。
【請求項５】
請求項１に記載の鋼板コンクリート壁において、前記ずれ防止手段が、前記ウエブ鋼板の少なくとも片面に設けた複数のアングル材からなることを特徴とする鋼板コンクリート壁。
【請求項６】
請求項１に記載の鋼板コンクリート壁において、前記ずれ防止手段が、前記ウエブ鋼板に成形した複数の凹凸部からなることを特徴とする鋼板コンクリート壁。
【請求項７】
請求項１に記載の鋼板コンクリート壁において、前記ずれ防止手段が、前記ウエブ鋼板を縞鋼板により形成してその複数の縞部からなることを特徴とする鋼板コンクリート壁。
【請求項８】
請求項１に記載の鋼板コンクリート壁において、前記ずれ防止手段が、前記ウエブ鋼板の少なくとも片面に塗布してコンクリートの打設後に硬化する接着剤からなることを特徴とする鋼板コンクリート壁。
【発明の詳細な説明】
【０００１】
【発明の属する技術分野】
本発明は、原子力関連施設などの建屋、特に原子炉格納容器の内部コンクリートに用いられる鋼板コンクリート壁に関し、より詳細には、２枚の平行な表面鋼板を連結して複数の空間を画成する複数のウエブ鋼板とこれらの各空間に打設したコンクリートとの間のずれを防止する技術に関する。
【０００２】
【従来の技術】
まず、図８を参照して従来の鋼板コンクリート壁について説明する。図８において、符号１０は原子力関連施設などの建屋、特に原子炉格納容器の内部コンクリートなどに用いられる鋼板コンクリート壁（一般に、「ＳＣ壁」と称されている）を総括的に示す。この鋼板コンクリート壁１０は、ウエブ方式であって、２枚の平行な表面鋼板１１ａ及び１１ｂを複数のウエブ鋼板１２により間隔を置いて連結して複数の空間１３を画成し、これらの各空間１３にコンクリート１４を打設した構造となっている（例えば、特許文献１参照）。なお、図示はしていないが、鋼板コンクリート壁１０には必要に応じて配管、ケーブルなどの貫通穴スリーブが取付けられる。
【０００３】
【特許文献１】
特開平２−６１２３８号公報（第２頁上右欄第７−１０行、第２図及び第８図Ｉ）
【０００４】
上記構造の鋼板コンクリート壁１０の工法（ＳＣ工法）は、工場で製作した壁の鋼板ユニットを他の柱、床又は部屋単位ごとの鋼板ユニットと共に現地で溶接などにより組み上げ、内部にコンクリートを打設して、建屋全体又は建屋の一部を建設するものであり、したがって、鉄筋コンクリート工法（ＲＣ工法：配筋、型枠、コンクリート打設という順序で建設される）と比べて次に述べるような利点がある。すなわち、機械側工事においては、工場にて鋼板ユニットに予め機器サポート、配管などを組み込むことによる現地における工事の省力化、鋼板ユニット組み上げ後直ちに作業を開始できることによる工程短縮などがあり、建築側工事においては鉄筋、型枠などの繁雑な現地作業量の削減による工程短縮及び現地作業員の削減などがある。そして、これらにより、プラントのトータル建築工事の合理化が図られると共にクリーンな現場環境が実現可能となる。
【０００５】
【発明が解決しようとする課題】
以上述べた利点から、ＳＣ工法は既に原子炉格納容器の内部コンクリートなどに部分的に採用され、これから有望視される工法である。しかしながら、図８に示した如き従来のウエブ方式の鋼板コンクリート壁１０の構造では、表面鋼板１１ａ，１１ｂとコンクリート１４との間は一般に各表面鋼板の内面に設けた多数のスタッド（図示せず）によりそれらの間のずれを防止しているが、ウエブ鋼板１２については特別ずれ防止の対策を採っていない。したがって、ウエブ鋼板１２は単にコンクリート１４を仕切っているにすぎないことから、作用荷重によってはウエブ鋼板１２とコンクリート１４との間にずれが生じて、壁全体の剛性、耐力が低下する場合がある。このため、ウエブ方式の鋼板コンクリート壁は、シャーバー方式の鋼板コンクリート壁（ウエブ鋼板の代わりに複数のシャーバーを２枚の平行な表面鋼板間に配設している構造であり、これらのシャーバーはコンクリートを仕切るものではないので、コンクリートとの間にずれは生じない）よりも強度・剛性が低下する傾向があり、シャーバー方式の鋼板コンクリート壁なみに強度を上げることが課題とされている。
【０００６】
本発明は、上記の課題を解決するためになされたもので、ウエブ方式の鋼板コンクリート壁において、ウエブ鋼板とコンクリートとの間のずれを防止して壁全体の剛性、耐力を向上せしめ、これによりシャーバー方式の鋼板コンクリート壁なみの強度に上げることを目的とする。
【０００７】
【課題を解決するための手段】
上記の目的を達成するために、請求項１に記載の本発明は、２枚の平行な表面鋼板を複数のウエブ鋼板により間隔を置いて連結して複数の空間を画成し、これらの各空間にコンクリートを打設してなる鋼板コンクリート壁において、前記ウエブ鋼板にコンクリートとのずれを防止するずれ防止手段を設けたことを特徴とし、これにより、ウエブ鋼板とコンクリートとの間のずれを防止して、壁全体の剛性、耐力を向上させ、これによりシャーバー方式の鋼板コンクリート壁なみの強度に上げることができる。
【０００８】
請求項２に記載の本発明は、ずれ防止手段が、ウエブ鋼板に穿設した少なくともひとつの穴からなることを特徴とし、これにより、前記穴を介してウエブ鋼板の両側のコンクリート同志を結合させ、ウエブ鋼板とコンクリートとの間のずれを防止して、壁全体の剛性、耐力を向上させたものである。
【０００９】
請求項３に記載の本発明は、ずれ防止手段が、ウエブ鋼板の少なくとも片面に設けた複数のスタッドからなることを特徴とし、これにより、前記スタッドをコンクリート中に埋入し、ウエブ鋼板とコンクリートとの間のずれを防止して、壁全体の剛性、耐力を向上させたものである。
【００１０】
請求項４に記載の本発明は、ずれ防止手段が、ウエブ鋼板を貫通して延びる複数の鉄筋からなることを特徴とし、これにより、前記鉄筋をコンクリート中に埋入し、ウエブ鋼板とコンクリートとのずれを防止して、壁全体の剛性、耐力を向上させたものであり、前記鉄筋はコンクリートを補強する働きもなす。
【００１１】
請求項５に記載の本発明は、ずれ防止手段が、ウエブ鋼板の少なくとも片面に設けた複数のアングル材からなることを特徴とし、これにより、前記アングル材をコンクリート中に埋入し、ウエブ鋼板とコンクリートとの間のずれを防止して、壁全体の剛性、耐力を向上させたものであり、前記アングル材はウエブ鋼板の剛性を高める働きもなす。
【００１２】
請求項６に記載の本発明は、ずれ防止手段が、ウエブ鋼板に成形した複数の凹凸部からなることを特徴とし、これにより、前記凹凸部をコンクリート中に埋入し、ウエブ鋼板とコンクリートとの間のずれを防止して、壁全体の剛性、耐力を向上させたものである。
【００１３】
請求項７に記載の本発明は、ずれ防止手段が、ウエブ鋼板を縞鋼板により形成してその複数の縞部からなることを特徴とし、これにより、前記縞部をコンクリート中に埋入し、ウエブ鋼板とコンクリートとの間のずれを防止して、壁全体の剛性、耐力を向上させたものである。
【００１４】
請求項８に記載の本発明は、ずれ防止手段が、ウエブ鋼板の少なくとも片面に塗布してコンクリートの打設後に硬化する接着剤からなることを特徴とし、これにより、前記接着剤を介してウエブ鋼板とコンクリートとを結合させ、それらの間のずれを防止して、壁全体の剛性、耐力を向上させたものである。
【００１５】
【発明の実施の形態】
以下、図面を参照して本発明の実施形態について詳述する。
【００１６】
図１は本発明の第１実施形態を示し、（Ａ）は本実施形態による鋼板コンクリート壁の概略斜視図及び（Ｂ）はその要部の断面図である。しかして、本実施形態によれば、２枚の平行な表面鋼板１１ａ及び１１ｂを複数のウエブ鋼板１２により間隔を置いて連結して複数の空間１３を画成し、これらの各空間１３にコンクリート１４を打設してなる鋼板コンクリート壁１０において、ずれ防止手段として、ウエブ鋼板１２に３つの穴１５を穿設し、これらの穴１５を介してウエブ鋼板１２の両側のコンクリート１４同志を結合させ、ウエブ鋼板１２とコンクリート１４との間のずれを防止して、壁全体の剛性、耐力を向上させたものである。
【００１７】
本実施形態は、ウエブ鋼板１２に単に穴１５を穿設するだけなので施工が簡単である。なお、ウエブ鋼板１２の大きさに応じて穴１５は１つ、２つ又は４つ以上にまた複数の列にすることができ、かつ穴の形状は図示するような円形でなくても、多角形など他の任意の形状とすることができる。
【００１８】
図２は本発明の第２実施形態を示し、（Ａ）は本実施形態による鋼板コンクリート壁の概略斜視図及び（Ｂ）はその要部の断面図である。しかして、本実施形態によれば、２枚の平行な表面鋼板１１ａ及び１１ｂを複数のウエブ鋼板１２により間隔を置いて連結して複数の空間１３を画成し、これらの各空間１３にコンクリート１４を打設してなる鋼板コンクリート壁１０において、ずれ防止手段として、ウエブ鋼板１２の両面に複数のスタッド１６を設け、これらのスタッド１６をコンクリート１４中に埋入し、ウエブ鋼板１２とコンクリート１４との間のずれを防止して、壁全体の剛性、耐力を向上させたものである。
【００１９】
本実施形態は、表面鋼板１１ａ，１１ｂとコンクリート１４との間のずれ防止に実績があるスタッド１６をずれ防止手段としたので、信頼性が高い。なお、図２（Ａ）では一部分のスタッド１６しか図示していないが、ウエブ鋼板１２の全面に設けられているものである。また、ウエブ鋼板の取付けられる位置によってはウエブ鋼板の片面のみにスタッドを設けてもよく、さらにスタッドの配置も図示するような規則的でなくても不規則でもよく、かつウエブ鋼板の大きさに応じてスタッドの列及び数も適当に変えることができるものである。
【００２０】
図３は本発明の第３実施形態を示し、（Ａ）は本実施形態による鋼板コンクリート壁の概略斜視図及び（Ｂ）はその要部の断面図である。しかして、本実施形態によれば、２枚の平行な表面鋼板１１ａ及び１１ｂを複数のウエブ鋼板１２により間隔を置いて連結して複数の空間１３を画成し、これらの各空間１３にコンクリート１４を打設してなる鋼板コンクリート壁１０において、ずれ防止手段として、ウエブ鋼板１２に穿設した複数の穴１７を貫通して延びる複数の鉄筋１８を配設し、これらの鉄筋１８をコンクリート１４中に埋入し、ウエブ鋼板１２とコンクリート１４との間のずれを防止して、壁全体の剛性、耐力を向上させたものである。
【００２１】
本実施形態は、ウエブ鋼板１２を貫通して延びる複数の鉄筋１８をずれ防止手段としたので、これらの鉄筋１８はずれ防止に加え、コンクリート１４を補強する働きもなす。なお、図３（Ａ）では一部分の鉄筋１８しか図示していないが、ウエブ鋼板１２の全面に配設されているものである。また、鉄筋の配置は図示するような規則的でなくても不規則でもよく、かつウエブ鋼板の大きさに応じて鉄筋の列及び数も適当に変えることができるものである。
【００２２】
図４は本発明の第４実施形態を示し、（Ａ）は本実施形態による鋼板コンクリート壁の概略斜視図及び（Ｂ）はその要部の断面図である。しかして、本実施形態によれば、２枚の平行な表面鋼板１１ａ及び１１ｂを複数のウエブ鋼板１２により間隔を置いて連結して複数の空間１３を画成し、これらの各空間１３にコンクリート１４を打設してなる鋼板コンクリート壁１０において、ずれ防止手段として、ウエブ鋼板１２の両面に複数のアングル材１９を設け、これらのアングル材１９をコンクリート１４中に埋入し、ウエブ鋼板１２とコンクリート１４との間のずれを防止して、壁全体の剛性、耐力を向上させたものである。
【００２３】
本実施形態は、複数のアングル材１９をずれ防止手段としたので、ずれ防止に加え、ウエブ鋼板の剛性を高めることもできる。なお、図４（Ａ）では一部分のアングル材１９しか図示していないが、ウエブ鋼板１２の全面に設けられているものである。また、ウエブ鋼板の取付けられる位置によってはウエブ鋼板の片面のみにアングル材を設けてもよい。さらに、アングル材の配置は図示するような水平（横）方向でなくても垂直（縦）方向でもよいものであるが、ずれは垂直方向に生ずるので、ずれを有効に防止するためには、ずれ方向（垂直方向）に垂直な方向、すなわち、水平方向に配置するのが好ましい。また、アングル材の形状も図示するような下向きのＬ字形でなくても、上向きのＬ字形又はＴ字形など他の任意の形状とすることができ、かつウエブ鋼板の大きさに応じてアングル材の数も適当に変えることができるものである。
【００２４】
図５は本発明の第５実施形態を示し、（Ａ）は本実施形態による鋼板コンクリート壁の概略斜視図及び（Ｂ）はその要部の断面図である。しかして、本実施形態によれば、２枚の平行な表面鋼板１１ａ及び１１ｂを複数のウエブ鋼板１２により間隔を置いて連結して複数の空間１３を画成し、これらの各空間１３にコンクリート１４を打設してなる鋼板コンクリート壁１０において、ウエブ鋼板１２に複数の凹部２０及び凸部２１を成形し、これらの凹凸部２０，２１をコンクリート１４中に埋入し、ウエブ鋼板１２とコンクリート１４との間のずれを防止して、壁全体の剛性、耐力を向上させたものである。
【００２５】
本実施形態は、ウエブ鋼板１２に単に凹凸部２０，２１を成形するだけなので施工が簡単である。なお、図５（Ａ）では一部分の凹凸部２０，２１しか図示していないが、ウエブ鋼板１２の全面に設けられているものである。また、凹凸部の深さ及び高さは、５ｍｍ以上とするのが好ましい。さらに、図示するように、複数の凹部２０及び凸部２１をそれぞれ水平方向に一列をなすように成形すると共にこれらの列を垂直方向に交互に成形してもよいが、複数の凹部２０及び凸部２１をそれぞれ垂直方向に一列をなすように成形すると共にこれらの列を水平方向に交互に成形してもよい。また、各列において、凹部２０及び凸部２１を交互に成形してもよい。さらに、ウエブ鋼板の大きさに応じて凹凸部の列及び数も適当に変えることができるものである。
【００２６】
図６は本発明の第６実施形態を示し、（Ａ）は本実施形態による鋼板コンクリート壁の概略斜視図及び（Ｂ）はその要部の断面図である。しかして、本実施形態によれば、２枚の平行な表面鋼板１１ａ及び１１ｂを複数のウエブ鋼板１２により間隔を置いて連結して複数の空間１３を画成し、これらの各空間１３にコンクリート１４を打設してなる鋼板コンクリート壁１０において、ウエブ鋼板１２を縞鋼板により形成し、その複数の模様が浮き出された部分、すなわち縞部２２をコンクリート１４中に埋入し、ウエブ鋼板１２とコンクリート１４との間のずれを防止して、壁全体の剛性、耐力を向上させたものである。
【００２７】
本実施形態は、ウエブ鋼板に単に縞鋼板により形成するだけなので施工が簡単である。なお、図６（Ａ）では一部分の縞部２２しか図示していないが、ウエブ鋼板１２の全面に成形されているものである。また、縞部の高さは、５ｍｍ以上とするのが好ましい。さらに、ウエブ鋼板の大きさに応じて縞部の形状、列、数及び配置は任意に変えることができるものである。
【００２８】
図７は本発明の第７実施形態を示し、（Ａ）は本実施形態による鋼板コンクリート壁の概略斜視図及び（Ｂ）はその要部の断面図である。しかして、本実施形態によれば、２枚の平行な表面鋼板１１ａ及び１１ｂを複数のウエブ鋼板１２により間隔を置いて連結して複数の空間１３を画成し、これらの各空間１３にコンクリート１４を打設してなる鋼板コンクリート壁１０において、ウエブ鋼板１２の両面に例えば有機系またはポリマーセメント系のプライマーなどの接着剤２３を塗布し、これらの接着剤２３をコンクリート１４の打設後に硬化するようにして、ウエブ鋼板１２とコンクリート１４とを結合させ、それらの間のずれを防止して、壁全体の剛性、耐力を向上させたものである。
【００２９】
本実施形態は、ウエブ鋼板１２に単に接着剤２３を塗布するだけなので施工が簡単であると共に、既存のウエブ鋼板をそのまま用いることができる。なお、図７（Ａ）では一部分の接着剤２３しか図示していないが、ウエブ鋼板１２の全面に塗布されているものである。また、ウエブ鋼板１２の取付けられる位置によってはウエブ鋼板１２の片面のみに接着剤２３を設けてもよい。さらに、本実施形態は上記の第１〜６実施形態、特に第１、５及び６実施形態と併用できるものである。
【００３０】
【発明の効果】
以上述べたように、請求項１に記載の本発明によれば、２枚の平行な表面鋼板を複数のウエブ鋼板により間隔を置いて連結して複数の空間を画成し、これらの各空間にコンクリートを打設してなる鋼板コンクリート壁において、前記ウエブ鋼板にコンクリートとのずれを防止するずれ防止手段を設けたので、ウエブ鋼板とコンクリートとの間のずれを防止して、壁全体の剛性、耐力を向上させ、これによりシャーバー方式の鋼板コンクリート壁なみの強度・剛性に上げることができる。
【００３１】
請求項２に記載の本発明によれば、ウエブ鋼板に穿設した少なくともひとつの穴をずれ防止手段とし、前記穴を介してウエブ鋼板の両側のコンクリート同志を結合させ、ウエブ鋼板とコンクリートとの間のずれを防止して、壁全体の剛性、耐力を向上させることができ、かつその施工が簡単である。
【００３２】
請求項３に記載の本発明によれば、ウエブ鋼板の両面に設けた複数のスタッドをずれ防止手段としたので、前記スタッドをコンクリート中に埋入し、ウエブ鋼板とコンクリートとの間のずれを確実に防止して、壁全体の剛性、耐力を向上させることができ、かつその信頼性が高い。
【００３３】
請求項４に記載の本発明によれば、ウエブ鋼板を貫通して延びる複数の鉄筋をずれ防止手段としたので、前記鉄筋をコンクリート中に埋入し、ウエブ鋼板とコンクリートとのずれを防止して、壁全体の剛性、耐力を向上させることができ、かつ前記鉄筋はコンクリートを補強する働きもなす。
【００３４】
請求項５に記載の本発明によれば、ウエブ鋼板の少なくとも片面に設けた複数のアングル材をずれ防止手段としたので、前記アングル材をコンクリート中に埋入し、ウエブ鋼板とコンクリートとの間のずれを防止して、壁全体の剛性、耐力を向上させることができ、かつ前記アングル材はウエブ鋼板の剛性を高める働きもなす。
【００３５】
請求項６に記載の本発明によれば、ウエブ鋼板に成形した複数の凹凸部をずれ防止手段としたので、前記凹凸部をコンクリート中に埋入し、ウエブ鋼板とコンクリートとの間のずれを防止して、壁全体の剛性、耐力を向上させることができ、かつその施工が簡単である。
【００３６】
請求項７に記載の本発明によれば、ウエブ鋼板を縞鋼板により形成して、その複数の縞部をずれ防止手段としたので、前記縞部をコンクリート中に埋入し、ウエブ鋼板とコンクリートとの間のずれを防止して、壁全体の剛性、耐力を向上させることができ、かつその施工が簡単である。
【００３７】
請求項８に記載の本発明によれば、ウエブ鋼板の少なくとも片面に塗布してコンクリートの打設後に硬化する接着剤をずれ防止手段としたので、前記接着剤を介してウエブ鋼板とコンクリートコンクリートとを結合させ、それらの間のずれを防止して、壁全体の剛性、耐力を向上させることができ、かつその施工が簡単であると共に、既存のウエブ鋼板をそのまま用いることができる。
【図面の簡単な説明】
【図１】本発明の第１実施形態を示し、（ａ）は本実施形態による鋼板コンクリート壁の概略斜視図及び（ｂ）はその要部の断面図である。
【図２】本発明の第２実施形態を示し、（ａ）は本実施形態による鋼板コンクリート壁の概略斜視図及び（ｂ）はその要部の断面図である。
【図３】本発明の第３実施形態を示し、（ａ）は本実施形態による鋼板コンクリート壁の概略斜視図及び（ｂ）はその要部の断面図である。
【図４】本発明の第４実施形態を示し、（ａ）は本実施形態による鋼板コンクリート壁の概略斜視図及び（ｂ）はその要部の断面図である。
【図５】本発明の第５実施形態を示し、（ａ）は本実施形態による鋼板コンクリート壁の概略斜視図及び（ｂ）はその要部の断面図である。
【図６】本発明の第６実施形態を示し、（ａ）は本実施形態による鋼板コンクリート壁の概略斜視図及び（ｂ）はその要部の断面図である。
【図７】本発明の第７実施形態を示し、（ａ）は本実施形態による鋼板コンクリート壁の概略斜視図及び（ｂ）はその要部の断面図である。
【図８】従来の鋼板コンクリート壁を示す概略斜視図である。
【符号の説明】
１０　鋼板コンクリート壁
１１ａ，１１ｂ　表面鋼板
１２　ウエブ鋼板
１３　空間
１４　コンクリート
１５　穴
１６　スタッド
１７　穴
１８　鉄筋
１９　アングル材
２０　凹部
２１　凸部
２２　縞部
２３　接着剤
【図１】
2004108090.tif 000003
【図２】
2004108090.tif 000004
【図３】
2004108090.tif 000005
【図４】
2004108090.tif 000006
【図５】
2004108090.tif 000007
【図６】
2004108090.tif 000008
【図７】
2004108090.tif 000009
【図８】
2004108090.tif 000010